(57)【要約】【課題】  本発明は、罫線引きや罫書作業に於いて、定規のズレを防止する事ができ、平行移動しながらの罫線作業や罫書作業及び角材の隣接した面への移行延長罫線引きや移行延長罫書作業ができる事と、起毛材やスポンジシート等への罫線引きや罫書切断作業が手軽にできる事と、計測位置の目視確認が容易にできる。そして、紙や工作物などの切断作業中に起きるカッターナイフの切っ先による定規への乗り上げ事故を解消し、軽便で安全に効率のよい作業を可能とした簡単な構造を持った楯壁を設けた多様定規を提供する事を目的としている。【解決手段】  定規本体の長手方向沿いの片側縁端部に楯壁を一体化に設けて該楯壁を撓み防止とガイド面と防護面とを兼備する事を特徴とする楯壁を設けた多様定規。【選択図】図１
2004276235.tif 000002
【特許請求の範囲】
【請求項１】
定規本体の長手方向沿いの片側縁端部に楯壁を一体化に設けて該楯壁を撓み防止とガイド面と防護面とを兼備する事を特徴とする楯壁を設けた多様定規。
【発明の詳細な説明】
【技術分野】
【０００１】  本発明は、紙や工作物等の平面部への罫線引きや罫書切断作業は言うに及ばず、角材や平板材等の立体的な工作物への罫線引きや罫書切断作業及び隣接した面へ移行しての延長罫線引きや罫書作業を容易に可能とし、また、起毛材やスポンジシート等への罫書切断作業をも容易に可能とし、計測位置の目視確認を容易にし、そして、上記作業中においては定規のズレ防止とカッターナイフのような刃物の切っ先による定規への乗り上げ事故を解消して指先を防護する事が出来る、簡単な構造を持ち、軽便で安全に効率のよい作業を可能とした楯壁を設けた多様定規に関する。
【背景技術】
【０００２】  従来には、使用中に於ける定規のズレを解消するものとして均等押え式取っ手付定規が提案されている。（例えば特許文献１参照）。
また、定規のズレを解消する他のものとしては定規が提案されている。（例えば特許文献２参照）。
また、指先保護を目的とした保護板付き定規が提案されている。（例えば特許文献３参照）【０００３】
【特許文献１】特開平７−２７６８９２号公報
【特許文献２】特開２００１−１６２９８８号公報
【特許文献３】特開平９−１６４２７９号公報
【発明の開示】
【発明が解決しようとする課題】
【０００４】  縦来提案の定規による罫書きやカッターナイフでの切断作業を行う場合においては、押えた部分が作用点となって回動しやすくなり定規に当てた筆記具やカッターナイフ等による加力に抗し切れずに起きる、定規のズレ防止や切っ先による指先損傷事故防止等には有効とされていた。しかし、定規へのカッターナイフのような刃物の切っ先による乗り上げ事故は解消されておらず問題点として残されたままとなっていた。【０００５】  この残された問題点である切っ先による定規への乗り上げ事故は、例えば、切断作業に於いて非切断物として紙などを切る場合にはその上に定規を宛がい、この定規の刃先ガイド部分に刃先脇を摺接し、切っ先を紙に当てて進行方向に鋭角に倒しながらカッターナイフを移動して行う方法がとられている。このような事から、切断作業を行う場合には、失敗の無いように、との慎重意識が働き過ぎてカッターナイフを持つ手に力みが入り、カッターナイフを握った手のわずかなブレに因って鋭角に倒しながら移動している刃先は刃先ガイドの上端部にそのまま鋭角に食い込み、勢い余って定規の上に乗り上げる。往々にして以上のような状況で切っ先による定規への乗り上げ事故は引き起こされていた。【０００６】次に、従来の目盛付定規での罫線引きや罫書き作業に於いて罫書き位置をより正確に計測確認する必要がある場合には、光の屈折影響による目視誤差を少なくする為に、定規の長手方向に沿った側端部にある目盛の角を軸にして両手先で定規を起こしながら計測の確認をし、その定規が手でブレ無いように押えながら筆記用具等で罫線引きや罫書作業をしていたが、その作業は非常に神経を使い、楽なものでは無かった。【０００７】  また、従来には、立体的な工作物への平行移動しながらの罫線引きや罫書切断作業を、または角材や平板材等の隣接した面へ移行しての立体的な延長罫線引きや罫書切断作業を単独で可能とした定規は無かった。【０００８】また、起毛材やスポンジシート等への罫線引きや罫書切断作業を手軽にできる定規は無かった。【０００９】  本発明は以上のような従来の欠点に鑑み、罫線引きや罫書作業に於いて、定規のズレを防止する事ができ、平行移動しながらの罫線作業や罫書作業及び角材の隣接した面への移行延長罫線引きや移行延長罫書作業ができる事と、起毛材やスポンジシート等への罫線引きや罫書切断作業が手軽にできる事と、計測位置の目視確認が容易にできる。そして、紙や工作物などの切断作業中に起きるカッターナイフの切っ先による定規への乗り上げ事故を解消し、軽便で安全に効率のよい作業を可能とした簡単な構造を持った楯壁を設けた多様定規を提供する事を目的としている。
【課題を解決するための手段】
【００１０】  上記目的を達成するために、本発明は、定規本体の長手方向沿いの片側縁端部に楯壁を一体化に設けて該楯壁を介して撓み防止とガイド面と防護面とを兼備する構造で楯壁を設けた多様定規を構成している。
【発明の効果】  本発明にあっては次に列挙する効果が得られる。【００１１】（１）定規本体の長手方向沿いの片側縁端部に楯壁を一体化に設けて該楯壁を介して撓み防止とガイド面と防護面とを兼備する構造で構成されているので、用紙や工作物を挟んで該定規の上面中央部の一点に力を加えると、その力は定規全体に伝わり該用紙や工作物を均等に抑え込むことが出来ることから、定規の回動問題を解消する事ができる。  したがって、定規の回動を無くす事ができ、回動により引き起こされる罫線引き作業や罫書切断作業のズレによる失敗を無くす事ができて作業効率が改善される。【００１２】（２）前記（１）によって、作業中のカッターナイフのような刃物を引く手に多少のブレが生じても、片側縁端部に楯壁を一体化に設けており、該楯壁が撓み防止と刃先ガイド面と指先防護面を兼備していることから、該定規の回動現象は大幅に改善する事ができ、尚且つ、カッターナイフのような刃物の切っ先による定規への乗り上げ事故を防止することができる。  したがって、カッターナイフのような刃物の切っ先による定規の損傷事故を解消することができ、切断作業中に於ける刃物の切っ先による指先の負傷事故も解消できることから、安心して切断作業を行う事が出来る。【００１３】（３）前記（１）によって、定規を押える手に力みが入り過ぎても、その力は該定規全体に均等に伝わり、より安定した押さえ込みに作用する。したがって、作業に馴れない人でも定規の回動によるズレを心配する必要はなくなり、綺麗な罫線をひくことができ、切り込み切断作業も安全で素早く仕上がりの綺麗な仕事ができる。【００１４】（４）前記（１）によって、該定規本体と楯壁の二面を介して角材や工作物等の立体的な出角入角を摺接移動する事ができる。  したがって、該定規の端側部を使用しての平行罫線引きや平行罫書作業及び角材や平板材などの隣接した面へ移行しての立体的な延長罫線引きや罫書作業が容易にできる。【００１５】（５）前記（１）によって、該定規が摘まみ易い形状である事から、紙面上や工作物面上をスムーズに移行する事ができて便利である。したがって効率よく作業ができる。【００１６】（６）前記（１）によって、構造が単純であるので、安価に容易に実施する事ができる。又、軽便で持ち運びにも便利である。【００１７】（７）前記（１）によって、使い方も簡単で、誰もが安心して便利に使用できる。【００１８】（７）定規本体の長手方向沿いの片側縁端部に楯壁を一体化に設けて該楯壁を介して撓み防止とガイド面と防護面とを兼備する構造で構成されているので、該定規の底面を上にして伏せるように、すなわち通常使用とは反対にして使用すると、平面による押さえ込みから部分的に作用する線での押さえ込みに替えることができる。  したがって、起毛材やスポンジなどの材質への罫線引きや罫書き作業、切込切断作業が容易にできる。【００１９】（８）具体的な実施例の第一例も前記（１）〜（８）と同様な効果が得られるとともに定規本体の底面に透明の合成樹脂製の目盛付定規を貼着して用いた構造で構成されているので、紙や工作物面上に、該定規のガイド面を底面として目盛付面を楯に起した状態を保持することができ、紙や工作物面上に自立さす��ができる。  したがって、別の作業を行いながら目盛の目視確認ができて作業効率を改善する事ができる。【００２０】（９）具体的な実施例の第二例も前記（１）〜（８）と同様な効果が得られるとともに該定規の楯壁に対するもう一方の縁端底面部に、切削加工を施すことなく、空隙を設けることが容易くできる。したがって、該定規による印字された直後の濡れたインクの引きずり現象を解消することができ、画面の汚れを心配することなく安心して作業ができる。
以上に列挙した発明の効果を得る事ができる。
【発明を実施するための最良の形態】  以下、図面に示す実施するための最良の形態により、本発明を詳細に説明する。【００２１】  図１及び図３に示す本発明を実施するための最良の形態において、１は定規本体である。定規本体１は細長い直定規としている。２は楯壁である、この楯壁２の高さサイズは定規本体１の撓みの防止と指先の防護に足り得るサイズとしており、定規本体１の長手方向沿いの縁端部１ｄにほぼ直角に曲折するように一体化に設けて端面形状をＬ字状に形成している。１ａは定規本体１の上面部である。１ｂは該定規本体１の底面部である。１ｃは楯壁２側と反対に位置するもう一方の定規縁端部１ｆに設けられた傾斜部であるが、しかし、この傾斜部１ｃの有無に関しては拘るものではない。１ｄは定規縁端である。定規縁端１ｄは定規本体１と楯壁２を一体化にする縁端部である。１ｅは該定規本体１の本体端面であり、本体端面１ｅは両端面とも同一記号を付して説明している。２ａは楯壁２に兼備されている指先防護面である。２ｂは楯壁２に兼備するカッターナイフのような刃物の刃先ガイド面である。２ｅは楯壁２の楯壁端面である。楯壁端面２ｅは両端面とも同一符号を記して説明している。２ｆは楯壁縁端部である。【００２２】  以上に構成された楯壁を設けた多様定規の作製については図２に示した断面形状に、所謂Ｌ字形にアルミ材を一体化に連続押し出し成型で製造した部材を所定の長さに切断して得たものとしている。【００２３】  なお、本発明を実施する最良の形態では、この定規本体１及び楯壁２の材料は軽金属のアルミ材を使用しているが刃先をガイドする事と指先を防護するに足る材質であるならば特に拘りは無いものとしている。【００２４】  上記構成の本発明の楯壁を設けた多様定規の使用時に於ける説明は替え刃式カッターナイフを例えて図３を持ってする。７はカッターナイフであり、７ｂはカッターナイフの替え刃部分の刃先脇であり刃先脇７ｂの表示は図中の刃先脇ガイド面２ｂに接する側も同一符号である７ｂを用いて説明している。７ａはカッターナイフ７の替え刃の切っ先である。７ｃはカッターナイフ７の刃先である。今、例えば用紙８を切断する場合において、切断する用紙８の切断位置を決め、該定規の刃先ガイド面２ｂの下部縁端を用紙８の切断位置に合わせて置き、定規本体１の上面部１ａを片手指先で押え、手に持ったもう一方のカッターナイフ７の刃先脇７ｂを刃先ガイド面２ｂに宛がいながら切っ先７ａを用紙８に突き立て、前記カッターナイフ７を進行方向に傾斜させながら刃先脇７ｂを刃先ガイド面２ｂに摺接するように移動する。その時、該切っ先７ａは本発明の楯壁を設けた多様定規の示した刃先ガイド面２ｂに沿ってスムーズに用紙８の切断を行っている。【００２５】  そして、上記作業中の作用について述べると本発明の楯壁を備えた多様定規は、定規本体１の長手方向沿いの縁端部１ｄに沿ってほぼ直角に楯壁２を一体化に設けた構造としているので、当然のことながら、楯壁２は定規本体１の縦リブとして作用する。よって、該定規本体１の上面部１ａへ加えられた力による撓みの発生は該楯壁２を介して阻止される。例えば該定規の上面部１ａの中央部当りに加えた片手指先の力は側壁２に伝わり、その力は分散されて定規本体１の全体に伝わり、その力は底面部１ｂの全面に作用することになる。従がって、押えた部分が作用点となって回動する心配は解消されて紙や工作物をほぼ均等に押さえ込むことが出来る。【００２６】  そして、上面部１ａを押さえ込んでいる片手指先は、刃先ガイド面２ｂと指先保護面２ａを兼備した構造の、高めに設定してある楯壁２によって防護されている。この高めに設定してある刃先ガイド面２ｂを兼備する楯壁２によって、仮にカッターナイフ７を持つ手に多少のブレが生じたとしても、刃先ガイド面２ｂの上部楯壁縁端部２ｆへの刃先７ｃによる乗り上げ食い込み事故を阻止する事ができる。従がって、楯壁２を乗り超えての切っ先７ａによる指先損傷事故は起こり得ない事になる。ついでながら、作業中は楯壁２をもって表裏一体に備えられた指先防護面２ａによって、該上面部１ａを押え込んだ片手指先は常に保護された状態となっている。【００２７】  次ぎに、筆記具での罫線引きや罫書き作業を行う場合は、該定規本体１の楯壁２側に対するもう一方の縁端に設けた傾斜部１ｃを手前に置き、楯壁２の上部を指先で摘み持ちながらの平面移行が出来、測点位置への罫線引きや罫書き作業もスムーズに行う事ができる。【００２８】  そして、例えば、工作物である角材９の角部に隣接した立体的な面への罫線引きや罫書作業について図１４をもって説明すると。９は角材である。角材９は一般的な垂木材としている。１０は筆記具である。筆記具１０は鉛筆としている。１１は罫線または罫書の印あとである。今、定規本体１と楯壁２の持つ上面部１ａと指先防護面２ａそして底面部１ｂと刃先ガイド面２ｂのそれぞれによって作られる角度を持った二面を該角材９の角部に宛がいながら任意の位置に該定規を移動させて、端側１ｅと端側２ｅの辺に筆記具１０を沿わせながら罫線または罫書の印を書き込む作業をおこなう。また、角材や平板などの隣接する面への立体的な延長罫線引きや罫書作業の移行も同様に行うことができる。【００２９】  次ぎに、起毛材やスポンジシート等への罫線引きや罫書切断作業についてスポンジシートを例えて図１５、図１６をもって説明する。１２はスポンジシートである。スポンジシート１２は一般的に市販されている弾力性発泡ウレタン製品としているが、他の材質でも作用効果に変わりはない。今、本発明の楯壁を設けた多様定規に於ける底面部１ｂと刃先ガイド面２ｂを上向きにして、スポンジシート１２の所定の位置に該楯壁を設けた多様定規を置くと、楯壁縁端部２ｆと直定規縁端部１ｆの二線をもって該スポンジシート１２を押さえ込むことになる。当然のことながら加えられた力はこの二線に集中的に掛かり、弾力性を持った捕えどころの無い該スポンジシート１２を楯壁縁端部２ｆと直定規縁端部１ｆの二線をもって確りと押さえ込むことができる事から罫書切断個所を確定する事ができる。
【実施例】  次に、図４及び図１０に示す本発明の具体的な実施例の第一例を説明する。なお、本発明の具体的な実施例の第一例を説明するに当って、前記本発明を実施するための最良の形態と同一構成部分には同一符号を付して重複する説明を省略する。【００３０】  図４ないし図６に示す本発明の具体的な実施例の第一例において、前記本発明を実施するための最良の形態と主に異なる点は、発明を実施するための最良の形態に於ける楯壁を設けた多様定規に於ける定規本体１の底面部１ｂに合成樹脂製の透過性のある目盛付定規３を貼着して用いた点である。３は合成樹脂製の目盛付定規である。３ａは樹脂上面部である。３ｂは樹脂底面部である。目盛付定規３のサイズは定規本体１の長さと同一にし、貼着後に重ならない分部で下敷きとなった文字や罫線などを透視できる程度の大きさを持った横幅としており、合成樹脂製定規の樹脂底面部３ｂの両縁端部に目盛４を施して一方の縁端側に於ける目盛４の上面部に角切３ｃを設けたものとしている。又、貼着後において該目盛付定規３と定規本体１の上面が同一面になる様に、該定規１の厚みと幅の分だけ樹脂上面部３ａより切り下げを施して貼着面３ｓとした構造で構成されている。貼着方法に関しては既存の技術、例えば合成接着剤によるものとしており特に拘りは無いものとしている。３ｄは目盛付定規３に於ける樹脂縁端面である。樹脂縁端面３ｄは刃先ガイド面２ｂと同一面上にある。３ｅは目盛付定規３に於ける樹脂端面である。樹脂端面３ｅは本体端面１ｅと楯壁端面２ｅと同一面上にある。３ｆは樹脂縁端面３ｄに対するもう一方の樹脂縁端面であり、角切３ｃを設けた側としている。【００３１】  なお、前記の実施の形態では、合成樹脂製の目盛付定規３の樹脂上面部３ａを細長い板状の定規本体１の厚みと幅の分だけの切り下げを施して実施しているが、切り下げを施さずに実施しても作用効果に変わりはない。【００３２】  次ぎに、上記構成の具体的な実施例の第一例の使用に於ける説明をする。なお前記本発明を実施するための最良の形態と同一構成部分の重複する説明は省略する。通常においての罫書き位置の計測や筆記具による罫線引きはもう一方の樹脂縁端面３ｆをガイドとして行う事ができるが、今、具体的な実施例の第一例の特徴的な使用方法について図１０をもって説明すると、楯壁２の刃先ガイド面２ｂを底面にして透過性のある合成樹脂製の目盛付定規３を起こした状態、すなわち樹脂底面部３ｂを計測面６に自立した状態にして作業を行うと、この垂直に立てた樹脂底面部３ｂの下縁端を境界線として計測面６は仕切られ、仕切られた計測面６の手前側を残して反対側の計測面６はアルミ製の楯壁２によって遮蔽される。よって透過性のある合成樹脂製の目盛付定規３に施された目盛４の側端部にある印字部が計測面６の被計測点６ａを、所謂ピンポイントで直接捕えるように作用する。したがって計測面６に記入された他の線と目盛４の印字線の重なりによる見難さと、透明の合成樹脂製品の持つ屈折率の影響を受けずに目視確認が楽になる、また片手先で垂直に立てた樹脂底面部３ｂと上面部１ａあたりを摘まみ持ちながら押える事ができるので、確りと定規の固定できて罫書き作業も容易にできる。罫線引きや罫書���断作業を行う場合には、目盛付定規３下の罫線や罫書き位置や切断位置の目視確認を行いながら効率よく作業が出来る【００３３】  以上のように、定規本体１の底面に透過性のある合成樹脂製の目盛付定規３を貼着して用いた構成の楯壁を設けた多様定規にしても、前記本発明を実施するための最良の形態と同様の作用効果が得られるとともに、従来に無かった前記作用効果も得られる。【００３４】  次ぎに図１１及び図１３を持って具体的な実施例の第二例を説明すると、前記本発明の具体的な実施例の第一例との相違点は定規本体１の上面部１ａに透過性のある合成樹脂製の目盛付定規３の樹脂底面部３ｂを貼着して用いた点である。なお、本発明の具体的な実施例の第二例を説明するに当って、前記本発明を実施するための最良の形態と具体的な実施例の第一例と同一構成部分には同一符号を付して重複する説明を省略する【００３５】  本具体的な実施例の第二例に於ける透過性のある目盛付定規３は、楯壁を設けた定規本体１の上面部１ａの幅に対して、印字された目盛の幅ほど大きめに設定したものとしている。３ｆは合成樹脂製の目盛付定規３に於ける３ｄいま、楯壁を設けた定規本体１の指先防護面に樹脂縁端面３ｄを当接して樹脂底面部３ｂを該上面部１ａに重ね合わせて貼着すると、前記状態において重なっていない部分は余裕を持った空隙Ｄとなっており、その部分を通して下の文字や線等の確認をする事ができるようになっている。以上のことから、余裕を持った空隙Ｄによって、持つ手に多少のブレが生じても、樹脂縁端面３ｆをガイドにして印字された直後の濡れたインクによる引きずり染みを起こす心配はなくなり、安心して作業ができる。
【図面の簡単な説明】
【図１】本発明を実施するための最良の形態の説明斜視図。
【図２】本発明を実施するための最良の形態の説明拡大Ａ−Ａ断面図。
【図３】本発明を実施するための最良の形態の使用状態説明図。
【図４】具体的実施例の第一例の分解組立斜視図。
【図５】具体的実施例の第一例の正面側斜視図。
【図６】具体的実施例の第一例の背面側斜視図。
【図７】具体的実施例の第一例の正面図。
【図８】具体的実施例の第一例の拡大左側面図。
【図９】具体的実施例の第一例の使用説明一部破断図。
【図１０】具体的実施例の第一例の使用状態説左側面図。
【図１１】具体的実施例の第二例の分解組立斜視図。
【図１２】具体的実施例の第二例の正面側斜視図。
【図１３】具体的実施例の第二例の拡大左側面図。
【図１４】本発明を実施するための最良の形態の使用状態説明図。
【図１５】本発明を実施するための最良の形態の使用状態説明図。
【図１６】本発明を実施するための最良の形態の使用状態拡大説明Ｂ−Ｂ断面図。
【符号の説明】
１、１ａ、１ｂ、１ｃ、１ｄ、１ｅ、１ｆ：定規本体。
２、２ａ、２ｂ、２ｃ、２ｅ、２ｆ：楯壁。
３、３ａ、３ｂ、３ｃ、３ｄ、３ｅ、３ｆ：目盛付定規。
４：目盛。
６、６ａ：計測面。
７、７ａ、７ｂ、７ｃ：替え刃式カッターナイフ。
８：用紙。
９：角材。
１０：筆記具。
１２：スポンジシート
【図１】
2004276235.tif 000003
【図２】
2004276235.tif 000004
【図３】
2004276235.tif 000005
【図４】
2004276235.tif 000006
【図５】
2004276235.tif 000007
【図６】
2004276235.tif 000008
【図７】
2004276235.tif 000009
【図８】
2004276235.tif 000010
【図９】
2004276235.tif 000011
【図１０】
2004276235.tif 000012
【図１１】
2004276235.tif 000013
【図１２】
2004276235.tif 000014
【図１３】
2004276235.tif 000015
【図１４】
2004276235.tif 000016
【図１５】
2004276235.tif 000017
【図１６】
2004276235.tif 000018